(57)【要約】      （修正有）【課題】予定と、その予定による作業進捗状況管理とが一目で一覧できるスケジュール帳を提供する。【解決手段】折曲げ線１０を介して折畳み可能に折畳み部２が連設されたその複数枚の用紙の一辺側を綴り合わせ、該用紙の折畳み可能とする折畳み部への２ページに亘る表面には、ガントチャートページ１０１が形成され、その裏面の折曲げ線までのページには、格子状の罫線３０aによって区画された矩形の書込み欄に翌月の一ヶ月間のスケジュールを日の順に個別の割当てがされるようにし、そのページの右下端部に、そのページの前月分と後月分とのカレンダー３２aが付記されてなるブロックマンスリーページ１０２aを形成し、そして、折畳み部の裏面には、その側端部分にチェックボックスが縦列された細かい目の方眼紙様のメモページを形成してなるスケジュールと進捗状況管理とが一度に一覧できるスケジュール帳である。【選択図】図４
2018196979.tif 000002
【特許請求の範囲】
【請求項１】
折曲げ線を介して折畳み可能に折畳み部が連設されたその複数枚の用紙の一辺側を綴り合わせ、該用紙の折畳み可能とする折畳み部への２ページに亘る表面には、ガントチャートページが形成され、その裏面の折曲げ線までのページには、格子状の罫線によって区画された矩形の書込み欄に翌月の１ケ月間のスケジュールを日の順に個別の割当てがされるようにし、そのページの右下端部に、そのページの前月分と後月分とのカレンダーが付記されてなるブロックマンスリーページを形成し、そして、折畳み部の裏面には、その側端部分にチェックボックスが縦列された細かい目の方眼紙様のメモページを形成してなることを特徴とするスケジュールと進捗状況管理とが一度に一覧できるスケジュール帳。
【請求項２】
先月のメモページが折畳まれて重ねられた先月のガントチャートページを捲ることにより開かれる、その裏面に形成された当月のブロックマンスリーページと、当月のガントチャートページに折畳み部が折畳まれて重ねられているその当月のガントチャートページの裏面の当月のメモページを捲返して開かれる当月のガントチャートページとでなり、予定記入、進捗状況の管理をすることを特徴とする請求項１記載のスケジュール帳。
【請求項３】
ガントチャートページが、折畳み部のメモページを捲返して開いた折畳み部表面のページへ亘ってのその２ページの上端に沿って、当月の１ヶ月分の日付と曜日とを順に記載し、該日付の間ごとに縦軸方向の境界線を設けると共に、捲り開いたページの用紙綴り合せの端部と、折畳み部折曲げ線とに所定間隔ごとの横の罫線が引かれ、プロジェクトの各段階の内容を日ごとに記載する欄が区分して備えられることを特徴とする請求項２記載のスケジュール帳。
【請求項４】
開いたガントチャートページの下端に沿った横軸方向にも、１ケ月分の日付及び曜日が、上端の横軸方向へ記載された１ヶ月分の日付及び曜日に対応して記載されることを特徴とする請求項３記載のスケジュール帳。
【請求項５】
開いた折畳み部への２ページに亘って、左から右への当月１ケ月の日付、曜日が記載され、該日付の間ごとに縦軸方向の境界線を設けると共に、その月の土曜日と、日曜日と、休日とに該当する境界線内の領域には帯状の彩色を施し、且つ、プロジェクトの内容を記載する欄を横方向に区分して設けられたその数区分線ごとに横帯状の彩色を施すと共に、その横帯状の彩色帯の幅が、１ケ月間を週ごとに区分する横軸方向の罫線と、各週間を日ごとに区分する縦軸方向の罫線とで格子状にされた隣接のブロックマンスリーページのその横軸方向の罫線と一致させることを特徴とする請求項３乃至４のいずれか１項記載のスケジュール帳。
【請求項６】
先月のガントチャートページを捲ることにより開かれるその裏面に形成される当月のブロックマンスリーページに、先月のガントチャートページの裏面に形成されている先月のメモページを捲返し重ね、その先月のメモページと、当月のガントチャートページに折畳み重ねられたその裏面に形成された当月のメモページとをもって、整理、管理することを特徴とする請求項１乃至５のいずれか１項記載のスケジュール帳。
【発明の詳細な説明】
【技術分野】
【０００１】  本発明は、プロジェクトにおける仕事の予定と、その進捗状況管理とが一度に一覧できるスケジュール帳に関するものである。
【背景技術】
【０００２】  従来にも、年間カレンダーを参照しながら月間スケジュール、週間スケジュール、そして毎日のスケジュールを策定し、管理することの出来る種々のスケジュール帳があった。
しかしながら、これらのスケジュール帳では、スケジュールを策定し、管理するのが、年間カレンダー、年間、月間、週間、及び毎日の各スケジュールを一度に一目で参照できるようにしたものでなかったために、策定、及び管理の取扱いに苦労した。【０００３】  そこで、その点を解決する為に、折曲げ線を介して折畳み可能に連設された折畳み部を有する用紙と、該折畳み部のない数枚の用紙とを数組組合せ、これら用紙の一辺側を綴じ合せてスケジュール帳にしたものがあった。
この折畳み部を有する用紙は、表紙であるその裏面に年間スケジュールページ、その折畳み部部分の裏面に年間カレンダーを形成したもの、表面をノート型メモページ、折畳み部部分の表面をマンスリーページにし、そのノート型メモページの裏面がメモページ、折畳み部部分の裏面が月間行動予定ページにしたもの、及び、表面をウイークリーページ、折畳み部部分の表面をマンスリーページに、そして、そのウイークリーページの表面がメモページ、折畳み部部分の裏面が月間行動予定ページにしたものであり、また、折畳み部のない用紙は、表面が年間スケジュールページ、裏面を年間プラン書込みページにしたもの、表面を年間プラン書込みページ、裏面を前年の年末マンスリーページにしたもの、及び表面がウイークリーページ、裏面をメモページにしたものであった。
よって、折畳み部を有する用紙の表紙を捲り、年間カレンダーを開いて、折畳み部を有する用紙の折畳み部表面にマンスリーページのある用紙を捲り、折畳み部の裏面の月間行動予定ページを内側へ折畳んで、年間カレンダーページの横に並べ、次に、該マンスリーページの横に、折畳み部のない用紙の表面であるウイークリーページが並べられることによって、年間カレンダーページ、マンスリーページ、そしてウイークリーページを横並びにさせて一度に一目で見ることができるようにしたものであった。
【先行技術文献】
【特許文献】
【０００４】
【特許文献１】実用新案登録第３１９２４１８号
【発明の概要】
【発明が解決しようとする課題】
【０００５】  従来のスケジュール帳は、折曲げ線を介して折畳み可能に連設した折畳み部を有する数枚の用紙と、該折畳み部のない数枚の用紙とでなる形態の一様でないものの構成である為、この製本には、困難さと、煩わしさとがあり、また、年間カレンダーページと、マンスリーページと、そしてウイークリーページとを並べることによって、予定が一度に一目で見れるようになったとしても、それには、作業の進捗状況は記載されてなく、記載されたこれら予定から判断しなければならず、作業の進捗状況を把握するのに困難であった。【０００６】  そこで、本発明のスケジュール帳は、予定と、その予定による作業進捗状況管理とが一目で一覧できるようにすることを目的とするものである。
【課題を解決するための手段】
【０００７】  本発明のスケジュールと進捗状況管理とが一度に一覧できるスケジュール帳は、折曲げ線を介して折畳み可能に折畳み部が連設されたその複数枚の用紙の一辺側を綴り合わせ、該用紙の折畳み可能とする折畳み部への２ページに亘る表面には、ガントチャート（ｇａｎｔｔ  ｃｈａｒｔ）ページが形成され、その裏面の折曲げ線までのページには、格子状の罫線によって区画された矩形の書込み欄に翌月の１ヶ月間のスケジュールを日の順に個別の割当てがされるようにし、そのページの右下端部に、そのページの前月分と後月分とのカレンダーが付記されてなるブロックマンスリー（ｂｌｏｃｋ  ｍｏｎｔｈｌｙ）ページを形成し、そして、折畳み部の裏面には、その側端部分にチェックボックスが縦列された細かい目の方眼紙様のメモ（ｍｅｍｏ）ページを形成してなるものである。【０００８】  本発明のスケジュールと進捗管理とが一度に一覧できるスケジュール帳は、先月のメモページが折畳まれて重ねられた先月のガントチャートページを捲ることにより開かれる、その裏面に形成された当月のブロックマンスリーページと、当月のガントチャートページに折畳み部が折畳まれて重ねられているその当月のガントチャートページの裏面の当月のメモページを捲返して開かれる当月のガントチャートページとでなり、予定記入、進捗状況の管理をするものである。【０００９】  本発明のスケジュールと進捗管理とが一度に一覧できるスケジュール帳は、ガントチャートページが、折畳み部のメモページを捲返して開いた折畳み部表面のページへ亘ってのその２ページの上端に沿って、当月の１ヶ月分の日付と曜日とを順に記載し、該日付の間ごとに縦軸方向の境界線を設けると共に、捲り開いたページの用紙綴り合せの端部と、折畳み部折曲げ線とに所定間隔ごとの横の罫線が引かれ、プロジェクトの各段階の内容を日ごとに記載する欄が区分して備えられるものである。【００１０】  本発明のスケジュールと進捗管理とが一度に一覧できるスケジュール帳は、開いたガントチャートページの下端に沿った横軸方向にも、１ヵ月分の日付及び曜日が、上端の横軸方向へ記載された１ヵ月分の日付及び曜日に対応して記載され、見易くするものである。【００１１】  本発明のスケジュールと進捗管理とが一度に一覧できるスケジュール帳は、開いた折畳み部への２ページに亘って、左から右への当月１ヶ月の日付、曜日が記載され、該日付の間ごとに縦軸方向の境界線を設けると共に、その月の土曜日と、日曜日と、休日とに該当する境界線内の領域には帯状の彩色を施し、且つ、プロジェクトの内容を記載する欄を横方向に区分して設けられたその数区分線ごとに横帯状の彩色を施すと共に、その横帯状の彩色帯の幅が、１ヶ月間を週ごとに区分する横軸方向の罫線と、各週間を日ごとに区分する縦軸方向の罫線とで格子状にされた隣接のブロックマンスリーページのその横軸方向の罫線と一致させるものである。【００１２】  本発明のスケジュールと進捗管理とが一度に一覧できるいスケジュール帳は、先月のガントチャートページを捲ることにより開かれるその裏面に形成される当月のブロックマンスリーページに、先月のガントチャートページの裏面に形成されている先月のメモページを捲返し重��、その先月のメモページと、当月のガントチャートページに折畳み重ねられたその裏面に形成された当月のメモページとをもって、整理、管理するものである。
【発明の効果】
【００１３】  本発明のスケジュール帳は、折曲げ線を介して折畳み可能に折畳み部が連設された複数枚の用紙の一辺側を綴り合せ、該用紙の折畳み部への２ページに亘る表面には、スケジュールの進捗状況管理をするガントチャートページが形成され、その裏面の折曲げ線までの翌月のスケジュールの予定が記載されるブロックマンスリーページを、そして、折畳み部の裏面には、チェックボックスが縦列されたメモページを形成しているので、捲り開いた折には、当月のブロックマンスリーページと、当月のガントチャートページが一目で一覧でき、スケジュールの予定と、その進捗状況を一目で一覧でき、且つ容易に記入できて、整理、管理することができる。【００１４】  本発明のスケジュール帳は、ガントチャートページがそのページの上端に沿って当月の１ヶ月分の日付、曜日を順に記載し、該日付の間ごとに縦軸方向の境界線が設けられると共に、捲り開いたページの用紙綴り合せの端部と折畳み部折曲げ線とに、所定間隔ごとの横の罫線が引かれ、区分を分り易くし、且つ、プロジェクトの各段階での内容が細かく、作業単位までを日ごとに解り易く記載できる。【００１５】  本発明のスケジュール帳は、捲り開き、メモページを開くと、マンスリーページと、ガントチャートページとを俯瞰でき、よって、マンスリーページには、一ケ月間のスケジュールの予定を書くことができ、該予定を参照しながら工程を立案し、ガントチャートページには、一ヶ月間の工程管理の予定を書くことができ、そして、スケジュールを確認しながらの進行計画を立てることが出来る。
また、メモページには、その月の課題を書き出して、進捗を見ながら終わったものにはチェックボックスにチェックを入れて確認でき、状況・条件が変更になった場合には、それらをメモして置くことができ、更に、プロジェクトが翌月に跨る場合には、その月のメモを見ながら、翌月のメモページを捲り返して、注意点や引き続き課題を記入することができる。
【図面の簡単な説明】
【００１６】
【図１】  折曲げ線を介して折畳み可能に折畳み部が連設された複数枚の用紙の一辺側を綴り合せ、該用紙の折畳み部への２ページに亘る表面には、ガントチャートページを形成し、その裏面の折曲げ線内には、ブロックマンスリーページを形成し、そして、折畳み部の裏面には、メモページが形成されているスケジュール帳の捲り開く状態図である。
【図２】  用紙の折畳み部への２ページに亘る表面に、当月の１ヶ月分を表すガントチャートページの形態図である。
【図３】  用紙の裏面に、折曲げ線内の翌月のブロックマンスリーページと、折畳み部の裏面における当月のメモページとの形態図である。
【図４】  折曲げ線を介して折畳み可能に折畳み部を連設されたその複数枚の用紙の一辺側を綴り合せ、先月のガントチャートページを表した前用紙を捲ることにより、その裏面に形成した当月のブロックマンスリーページと、開かれた当用紙におけるガントチャートページとを示す形態図である。
【図５】  見やすくするために、土曜日、日曜日、休日に当る境界線内領域、及びプロジェクトの内容を区分する為に記載する欄に彩色を施した当月のブロックマンスリーページと、当月のガントチャートページとを示す形態図である。
【図６】  前用紙を捲ることにより、その裏面の当月のブロックマンスリーページと、開かれた当用紙表面の当月のガントチャートページとが一時に一覧できるようにして、スケジュールの予定とその進捗管理とがされる使用状態図である。
【図７】  前用紙の裏面にある先月のメモページを当月のブロックマンスリーページに捲返して重ね、開かれた当月のガントチャートページに折曲げ線で折畳み重ねられた折畳み部のその裏面の当月のメモページとによって整理・管理する使用状態図である。
【発明を実施するための形態】
【００１７】  本発明のスケジュールと進捗管理とを一時に一覧できるスケジュール帳は、図１に示す如く、折曲げ線１０を介して折畳み可能に折畳み部２が連設された複数枚の用紙１の一辺側を綴り合せ２０として製本し、前用紙１ａを捲ることにより当用紙１は開かれる。
該当用紙は、図２、及び図３に示す如く、折畳み可能とする折畳み部２への２ページに亘る表面には、ガントチャートページ１０１が形成され、その裏面の折曲げ線１０までのページには、格子状の罫線３０によって区画した矩形の書込み欄３１に、翌月の日付３３と、１ヶ月間のスケジュールが日を順に個別の割当てがされるようにし、そして、そのページの右下端部には、そのページの前月分と後月分とのカレンダー３２が付記されているブロックマンスリーページ１０２を形成し、折畳み部２の裏面には、その側端部分にチェックボックス２１が縦列された細かい目の方眼紙様２２でなるメモページ１０３を形成している。
よって、捲られた前用紙１ａには、折曲げ線１０ａで折畳まれた折畳み部２ａを表面へ折畳み重ねた先月のガントチャートページ１０１ａの裏面である当月のブロックマンスリーページ１０２ａが開かれ、格子状の罫線３０ａによって区画した矩形の書込み欄３１ａに当月の日付３３ａと、１ヶ月間のスケジュールが日を順に個別の割当てがされることになる。
【００１８】  本発明のスケジュール帳のガントチャートページ１０１は、折曲げ線１０を介して折畳み可能に折畳み部２が連設された用紙１の折畳み部２への２ページに亘る表面に形成され、その２ページに亘るガントチャートページ１０１の上部には、その上端に沿って、当月の１ヶ月分の日付４０と曜日４１とが順に記載され、該日付の間ごとに縦軸方向の境界線４２を設けると共に、用紙綴り合せ２０の端部と、折畳み部折曲げ線１０とに所定間隔ごとに横の罫線４３が引かれ、プロジェクトの各段階の内容を日ごとに記載する欄４４、５４が区分して備えられる。
【００１９】  更に、本発明のガントチャートページ１０１には、該ガントチャートページの下端に沿った横軸方向にも、１ヶ月分の日付４５及び曜日４６が上端の横軸方向へ記載された１ヶ月分の日付４０及び曜日４１に対応して記載されている。
【００２０】  本発明のスケジュールと進捗管理とを一時に一覧できるスケジュール帳は、図４で示す如く、前用紙１ａを捲ることにより、先月のガントチャートページ１０１ａの裏面の当月のブロックマンスリーページ１０２ａが開かれ、そして、用紙１の当月のガントチャートページ１０１に折曲げ線１０で折畳み重ねられていたメモページ１０３が捲返されて当月のガントチャートページ１０１を開くことになる。
よって、ブロックマンスリーページ１０２ａと、ガントチャートページ１０１とを共に俯瞰できるので、ブロックマンスリーページ１０２ａのスケジュールの予定の記載を確認しながら、ガントチャートページ１０１で進行計画を立てることが出来、工程管理の予定を書くことが出来る。
【００２１】  尚、開かれたスケジュール帳のブロックマンスリーページ１０２、及びガントチャートページ１０１においては、図５で示す如く、ガントチャートページ１０１には、折畳み部２への２ページに亘っての左から右への１ヶ月分の日付４０，４５、曜日４１、４６が記載され，該日付の間ごとに縦軸方向の境界線４２を設けると共に、その月の土曜日と、日曜日と、休日とに該当する境界線内の領域４７に彩色を施し、且つ、プロジェクトの内容を記載する欄４４を横軸方向の横の罫線４３に区分して設けられたその数区分線ごとの領域４８に彩色を施すと共に、その横帯状の彩色帯の幅が、１ケ月間を週ごとに区分する横軸方向の罫線４９ａと、各週間を日ごとに区分する縦軸方向の罫線５０ａとで格子状にされた隣接のブロックマンスリーページ１０２ａのその横軸方向の罫線４９ａと一致させ、よって、識別し易く出来ることになる。
【実施例１】
【００２２】  本発明のスケジュール帳を開き、更に、メモページ１０３を捲り返すとガントチャートページ１０１が開かれる。
前用紙と後用紙との綴り合せ２０により、相互に隣接するブロックマンスリーページ１０２ａとガントチャートページ１０１とを一目に俯瞰できるので、スケジュールを確認しながら進行計画を立てることが出来る。【００２３】  図６に基いて、使い方を説明すると、ブロックマンスリーページ１０２ａには予定を書き、ガントチャートページ１０１には、工程管理の予定を書くことになる。
例えば、ブロックマンスリーページ１０２ａにおいて、書込み欄３１ａの日付３３ａの５日に、新製品（社内）についての開発の会議（キックオフＭＴ，第１会議会、１６．００）が予定されると記載する。それと共に、ガントチャートページ１０１にも、日付４０の５日（金）に「キックオフＭＴ」と、会議の開催の工程が書かれる。そして、進捗管理に利用でき、プロジェクトの全体が把握できるようにプロジェクトの欄４４には、「新製品（社内）、製作はＫ社」とタイトルが書き記されることになる（注１）。【００２４】  ブロックマンスリーページ１０２ａにおいて、日付３３ａの９日に、その新製品の仕様決定がされ、それのＫ社との会議（１４．００部ＭＴ）開催が予定され、それを、ガントチャートページ１０１にも、日付４０の９日（金）に、「仕様決定」の工程管理がされたことが書き置かれることになる。【００２５】  ブロックマンスリーページ１０２ａにおける日付３３ａの１１日には、社内会議（９．００社内ＭＴ）、ｋ社との会議（１３．００部ＭＴ）開催が予定され、１２日にはレイアウトが組まれ、Ｋ社にデータ渡しをできるようにすることが予定され、それが記されると共に、ガントチャートページ１０１には、Ｋ社でラフ作成され、矢印による工程、即ち、本社は、デザインを出してＫ社へ渡し、１３日（土）迄にレイアウトの作成がされること（ｐｏｉｎｔ１）が書き記される。
よって、工程と工程との関係が手にとるように見え、中間目標を記入して進捗管理が出来ることになる（注２）。【００２６】  ブロックマンスリーページ１０２ａの日付３３ａの１５日には、１０．００〜１４．００にレサーチが予定され、それをガントチャートページ１０１では、矢印をもって、１２日（金）から１６日（火）までリサーチを行って管理する工程が書き留められることになる。【００２７】  ブロックマンスリーページ１０２ａの日付３３ａの１６日、１７日には、新製品を広告する原稿編集が予定され、その入力と、見直しが予定され、１９日には、そのデータがあがり、それをチェックすることが予定される。それに伴なって、ガントチャートページ１０１では、矢印をもって、日付４０の１７日（水）、１８日（木）に原稿編集が行われると共にＫ社にデータ渡しをして、１９日（金）までにレイアウトを作成させて、本社へデータアップさせ、それを本社が、２２日（月）にチェックし、２４日（火）には、サンプルチェックがされる工程が書き記され、そして、２５日（水）には、調整の為の会議（調整ＭＴ）が行われ、２６日（木）から２９日（月）まではプレゼンテーションの準備をし、３１日（水）には、プレゼンテーションを行う工程が書き記される。【００２８】  次に、ガントチャートページ１０１におけるプロジェクトの欄４４に記載されたプロジェクト「リニューアル企画Ａ（Ｍ社合同）」については、既に、進捗管理が進められていて、日付４０の９日（火）までには、最終確認ができ、日付４０の１０日（水）には、工場応援をし、日付４０の１５日（月）には、発売されることが記されている。
そして、このプロジェクト「リニューアル企画Ａ（Ｍ社合同）」が中旬迄には終了してしまうので、中旬以降に実施する別のプロジェクト「リニューアルＢ（Ｏ社）」を折畳み部折曲げ線１０のプロジェクト記載の欄５４にリストアップし、ブロックマンスリーページ１０２ａにおいては、日付３３ａの６日にＵ氏との会議（Ｕ氏ＭＴ、来年度企画）、１５日にＳ氏の面会（１７．００、Ｓ氏来訪）、そして、１７日に会議開催（１３．００〜１７．００  来年度企画出し）が予定された結果、それをもって、ガントチャートページ１０１での日付４０の１８日（木）にヒアリングがされ、日付４０の２２日（月）から２６日（金）に企画書作成がされる進捗管理をすることが書き記されている。【００２９】  尚、ガントチャートページ１０１のプロジェクト記載の欄４４において、「コンビニ買物（金額）」、「２２時以降食べない」、「お酒飲まない」、及び「体重６３〜６５ｋｇ」の書込みは、習慣のチェックや、担当者の生活状況チェックにも利用出来ることを例示したもの（注３）である。【００３０】  更に尚、前用紙１ａのガントチャートページ１０１ａの折畳み部２ａを逆に折畳むことによって、当月の用紙１のガントチャートページ１０１に綴り合せ２０ａを介して隣接することになり、工程管理の引継ぎがし易くなる。
【実施例２】
【００３１】  メモページ１０３、１０３ａには、図７に示す如く、その月のタスク（仕事の課題）を、例えば、先月のメモページ１０３ａでは、「ＳＮＳ（コミュニケーション型サービス）ページ開設」、「ニュースリリース」、「企画Ａ最終稟議あげる」、「キックオフＭＴ、資料準備」、及び「各社版設計」等、当月のメモページ１０３では、「ＳＮＳ更新」、「第二弾ニュース」、「企画Ｂ、市場調査」、「新商品サンプル（チェックリスト作成）」、及び「イベント出展準備」等を、リストアップし、進捗を見ながら終わったものはチェックを入れてマークする。
また、状況・条件が変更になった場合には、メモしておく、そしてまた、プロジェクトが先月から当月にまで跨るような場合は、その先月のメモページ１０３ａを捲り返して当月のメモページ１０３に隣接させ、先月のそのメモページ１０３ａを見ながら、当月のメモページ１０３に注意点や引き続きのタスクを記入することになる。
【符号の説明】
【００３２】１        用紙
１ａ      前用紙
１０      折曲げ線
１０ａ    折曲げ線（前用紙）
１０１    ガントチャートページ
１０１ａ  ガントチャートページ（前用紙）
１０２    ブロックマンスリーページ
１０２ａ  ブロックマンスリーページ（前用紙）
１０３    メモページ
１０３ａ  メモページ（前用紙）
２        折畳み部
２ａ      折畳み部（前用紙）
２０      綴り合せ
２０ａ    綴り合せ（前用紙）
２１      チェックボックス
２１ａ    チェックボックス（前用紙）
２２      方眼紙様
３０      格子状の罫線
３０ａ    格子状の罫線（前用紙）
３１      書込み欄
３１ａ    書込み欄（前用紙）
３２      カレンダー
３２ａ    カレンダー（前用紙）
３３      日付
３３ａ    日付（前用紙）
４０      日付
４１      曜日
４２      境界線
４３      横の罫線
４４      欄
４５      日付（下端の）
４６      曜日（下端の）
４７      領域
４８      数区分線ごとの領域
４９ａ    横軸方向の罫線
５０ａ    縦軸方向の罫線
５４      欄
【図１】
2018196979.tif 000003
【図２】
2018196979.tif 000004
【図３】
2018196979.tif 000005
【図４】
2018196979.tif 000006
【図５】
2018196979.tif 000007
【図６】
2018196979.tif 000008
【図７】
2018196979.tif 000009